(57)【要約】【課題】記録媒体を利用する記録再生装置において、画像／音声データの記録する記録媒体を管理でき、さらには画像／音声データの情報と複製したデータの情報とをあわせて表示することが可能な記録再生装置を提供する。【解決手段】記録再生装置に、元データをもとに作成するバックアップデータに関するバックアップ情報生成手段を設け、ある記録媒体に記録されたデータのバックアップデータが他の記録媒体に存在するか否かを管理する。また、このバックアップ情報を用い、元データの情報を表示する際、バックアップデータが存在する場合はバックアップ情報をあわせて表示する。【選択図】  図１
2004318991.tif 000002
【特許請求の範囲】
【請求項１】
記録媒体に画像データ及び音声データを記録し、前記記録媒体に記録されている画像データ及び音声データを再生する記録再生装置であって、
撮影対象を画像データ及び音声データに変換する手段と、
前記データを元データとして記録媒体に記録する手段と、
受信したバックアップデータ作成指示に応答して前記元データのバックアップデータ及びバックアップ情報を作成する手段と、
前記バックアップ情報を前記記録媒体に記録する手段とを備えたことを特徴とする記録再生装置。
【請求項２】
前記記録媒体から前記バックアップ情報を読み出し、前記読み出したバックアップ情報を映像情報に変換し出力するバックアップ情報出力手段を具備し、
受信したバックアップデータ表示指示に応答して前記バックアップ情報を出力することを特徴とする請求項１記載の記録再生装置。
【請求項３】
前記バックアップ情報は、バックアップデータの有無、バックアップデータの作成履歴、バックアップデータを記録した記録媒体に関する情報の内、少なくとも１つであることを特徴とする請求項１〜２記載の記録再生装置。
【請求項４】
前記バックアップデータは、前記元データを再生することにより生成されることを特徴とする請求項１記載の記録再生装置。
【請求項５】
前記バックアップ情報は、ファイルシステムの一部から成ることを特徴とする請求項１記載の記録再生装置。
【請求項６】
前記バックアップ情報は、前記元データを管理する管理ファイルの一部として記録されることを特徴とする請求項１記載の記録再生装置。
【請求項７】
請求項２記載の記録再生装置であって、
前記記録媒体に記録されている前記元データを管理する管理ファイルを読み出し、前記管理ファイルを元に前記元データに関する情報を生成し、前記元データに関する情報を映像情報に変換し出力する元データ情報出力手段を具備し、
前記元データ情報出力手段の出力と、前記バックアップ情報出力手段の出力とを合成し、出力することを特徴とする記録再生装置。
【請求項８】
前記バックアップ情報は、前記元データが再生された後に生成され、記録媒体に記録されることを特徴とする請求項３記載の記録再生装置。
【発明の詳細な説明】
【０００１】
【発明の属する技術分野】
本発明は、画像／音声データを記録、再生する技術に関し、特に再生中の画像／音声データを用いて新たな画像／音声データを生成し、生成後の画像／音声データを前記装置内の記録媒体に記録したり、前記装置外のデータ受信装置に送信したりすることが可能な技術に関する。
【０００２】
【従来の技術】
近年、ビデオカメラレコーダにおいては、従来の記録媒体であるビデオテープのほかにメモリカードを併用するビデオカメラレコーダが複数のメーカーから市販されている。メモリカード記録装置を内蔵したビデオカメラレコーダの技術に関しては、前記ビデオカメラレコーダの小型化の技術が開示されている。（例えば、特許文献１参照）
前記ビデオカメラレコーダでは、画像、音声のうちの片方または両方を含んだ画像／音声データをメモリカード、またはビデオテープなどに選択して記録することができる。これらの画像／音声データは、前記画像／音声データを元データとして、他方の記録媒体にバックアップデータを作成することもでき、同じ被写体を写した画像／音声データがメモリカードとビデオテープの両方に存在するということもある。
【０００３】
【特許文献１】
特開２００１−５３９９４号公報
【０００４】
【発明が解決しようとする課題】
上記従来技術では、上記ビデオカメラレコーダに代表される記録再生装置により記録されたデータについてバックアップデータが存在するか否かの判断が困難であり、元データに関する情報を表示する際に、バックアップデータの有無をはじめ、バックアップデータに関する情報を表示することができない。
【０００５】
また、バックアップデータが存在し、前記バックアップデータの情報を得る場合には、前記バックアップデータが記録されている記録媒体にアクセスして情報を取得しなければならず、前記記録再生装置の使い勝手の面から不利であった。
【０００６】
そこで、本発明は前記課題に鑑み、元データとバックアップデータを関連付けして記録媒体内のデータの管理を容易化し、バックアップデータが記録されている記録媒体にアクセスしない場合でも前記バックアップデータに関する情報を取得して表示することを可能とし、使い勝手の良い記録再生技術を提供することを目的とする。
【０００７】
【課題を解決するための手段】
上記目的を達成するために、本発明は、記録媒体に記録されている画像／音声データを再生し、受信したバックアップデータ作成指令に応答して、再生対象である画像／音声データをもとにバックアップデータを作成し、前記バックアップデータ作成指令に応じて、前記画像／音声データのバックアップ情報を生成し、前記再生対象の画像／音声データを記録している記録媒体に、前記バックアップ情報を記録する記録再生技術とする。
【０００８】
また、前記バックアップ情報から、記録媒体に記録されている画像／音声データのバックアップデータが存在すると確認でき、前記記録媒体に記録されている画像／音声データに関する情報を表示する場合、前記バックアップ情報として記録されているバックアップデータに関する情報を、前記画像／音声データに関する情報と共に表示する表示技術とする。
【０００９】
【発明の実施の形態】
以下、本発明による記録再生装置の実施の形態について、ビデオカメラレコーダの実施例を用い、図を参照して説明する。
実施例の説明に先立ち、本明細書で使用する語句について説明する。
バックアップデータとは、記録媒体に記録されている画像データ及び音声データをもとに作成される画像／音声データであり、前記画像／音声データと同一の内容であったり、前記画像／音声データの画像／音声品位を変更したものであったりする。なお、本明細書では、前記バックアップデータのもとになる画像／音声データを、単に元データと呼ぶこともある。
【００１０】
バックアップ情報とは、前記バックアップデータに関する情報を記したものである。前記バックアップ情報は、例えば、バックアップデータの有無、バックアップデータの画像／音声形式、バックアップデータ記録先情報などがある。前記画像／音声形式とは、前記バックアップデータの符号化形式、例えば画像データであればＭＰＥＧ−２（Ｍｏｖｉｎｇ  Ｐｉｃｔｕｒｅ  Ｅｘｐｅｒｔｓ  Ｇｒｏｕｐ  ２）やＭＰＥＧ−４など、音声データであればＭＰＥＧ−１  Ａｕｄｉｏ（Ｍｏｖｉｎｇ  Ｐｉｃｔｕｒｅ  Ｅｘｐｅｒｔｓ  Ｇｒｏｕｐ  １  Ａｕｄｉｏ）やＭＰＥＧ−２  ＡＡＣ（ＭＰＥＧ−１  Ａｄｖａｎｃｅｄ  Ａｕｄｉｏ  Ｃｏｄｉｎｇ）などの情報であり、符号化ビットレートなども含まれる。前記バックアップデータ記録先情報とは、前記バックアップデータが記録媒体に記録された場合の、前記記録媒体に関する情報であり、記録媒体種別、例えばメモリカードであったり、記録媒体固有の番号などの情報である。
【００１１】
前記記録媒体とは、その内部にデータを記録及び保存ができるものであれば、種類は特に限定されない。記録媒体は、例えばＤＶＤ−ＲＡＭ、ＤＶＤ−Ｒ、ＤＶＤ−ＲＷ、ＣＤ−Ｒ、ＣＤ−ＲＷ、メモリカード、ＨＤＤ、ＦＤＤ、ビデオテープなどである。
【００１２】
まず、画像／音声データを記録媒体に記録する方法について説明する。図１はビデオカメラレコーダの一実施例を示すブロック図である。ＣＣＤ（Ｃｈａｒｇｅ  Ｃｏｕｐｌｅｄ  Ｄｉｏｄｅ）１０１はレンズ１００を通して得られた光信号を電気信号に変換する。Ａ／Ｄ（Ａｎａｌｏｇ  Ｄｉｇｉｔａｌ）変換器１０２は、ＣＣＤ１０１によって変換されたアナログ電気信号をデジタル信号に変換する。信号処理部１０３は、Ａ／Ｄ変換器１０２で変換されたデジタル信号をＭＰＥＧの圧縮が行えるようなフォーマットに変換する。画像符号復号部１０４は、信号処理部１０３で変換された画像信号をＭＰＥＧやＪＰＥＧ形式へのデジタル符号化を行う。メモリ１０５は、画像符号復号部１０４が画像データの符号化、復号化の際に使用する。
【００１３】
また、ＡＭＰ（Ａｍｐｌｉｆｉｅｒ）部１１２は、マイク１１０からの音声信号を増幅する。Ａ／Ｄ及びＤ／Ａ（Ｄｉｇｉｔａｌ  Ａｎａｌｏｇ）変換器１１３は、ＡＭＰ部１１２で増幅された音声信号をデジタル信号に変換する。音声符号復号部１１４は、Ａ／Ｄ及びＤ／Ａ変換器１１３で変換された音声信号をＭＰＥＧ形式等へのデジタル符号化を行う。デジタル符号化された画像データとデジタル符号化された音声データは、多重化／分離化処理部１０６にて多重化され、画像／音声データが作成される。
【００１４】
プロセッサの一種であるメインＣＰＵ１２０は、前記記録再生装置の各部を制御し、特に、所望の記録媒体に画像／音声データを記録するようメモリカード制御部１３０またはＤＶＤドライブ制御部１４０を制御し、単数あるいは複数の記録媒体に元データとして画像／音声データを記録する。記録媒体管理部１２１は、前記画像／音声データをＤＶＤ−ＲＡＭ１３２、メモリカード１４２に書き込む際に、前記画像／音声データのランダムアクセスや特殊再生を容易にするための記録管理情報を作成する。また、前記記録媒体管理部１２１は、バックアップ情報を作成し、元データの記録管理情報の一部としてバックアップ情報を書き込む。前記記録媒体管理部１２１は、電子回路の一種であるメインＣＰＵ１２０がその役割を請け負うこともある。
【００１５】
元データをＤＶＤ−ＲＡＭ１３２に記録する場合には、メインＣＰＵ１２０はＤＶＤドライブ制御部１３０を制御し、元データを記録ヘッドの一種である光ピックアップを用いてＤＶＤ−ＲＡＭ１３２に記録する。記録媒体管理部１２１は、バックアップデータが無いことを記したバックアップ情報を作成し、ＤＶＤ−ＲＡＭ１３２に記録する。前記バックアップ情報の記録媒体としてＤＶＤ−ＲＡＭ１３２を示したが、他の記録媒体に記録してもよい。なお、前記記録ヘッドとは、記録媒体にデータを記録及び削除ができるものであれば、種類は特に限定されない。記録ヘッドは、例えばＤＶＤ−ＲＡＭなど光ディスクの光ピックアップ、ＨＤＤなど磁気記録媒体の磁気ヘッド、メモリカードなど半導体記録媒体の信号処理回路などである。
【００１６】
前記元データのバックアップデータを作成したときには、記録媒体管理部１２１が、前記バックアップデータの情報を含んだバックアップ情報を新たに作成し、前記元データのバックアップ情報に上書し書き換える。なお、バックアップデータは元データと同一の記録媒体内に記録することも可能であり、同様の手順を行い、バックアップデータ、バックアップ情報を作成し記録する。逆に、バックアップデータをビデオカメラレコーダの外部の記録媒体内に記録することも可能であり、バックアップデータを外部の記録媒体に、バックアップ情報を元データと同一の記録媒体に作成し記録する。
以上示した方法により、画像／音声データを記録媒体に記録する。
【００１７】
図２は、本実施例における前記記録媒体管理部１２１が作成する記録管理情報と、記録されている画像／音声データの一例である。２は、前記記録管理情報と前記画像／音声データの記録イメージの模式図である。ここでは、画像／音声データがｎ個記録されているところを模している。２２１は、前記記録管理情報２１１の構成を模した模式図であり、１つめの元データであるビットストリーム２１２に関する情報からｎ番目のビットストリームに関する情報が格納されている。２３１は、１つめのビットストリームに関する情報、すなわち元データ情報と前記元データのバックアップ情報の構成を模した模式図であり、例えば１つめの元データの画像サイズや、１つめの元データのバックアップ情報を示す再生記録情報２３２等が格納されており、前記再生記録情報には、例えば、画像形式、バックアップデータの記録先情報、バックアップデータのビットレートが格納されている。
【００１８】
図３は、本実施例における前記記録媒体管理部１２１が作成する記録管理情報の別の実施例である。３００は、前記記録管理情報と前記画像／音声データで、記録イメージの模式図である。図２同様、画像／音声データがｎ個記録されているところを模している。図２と異なり、各画像／音声データにそれぞれ記録管理情報が付加されている。３１１は、１つめの画像／音声データ３１２に関する記録管理情報で、例えば画像サイズ３２１や前記バックアップ情報である記録再生情報３２２等から構成されている。
【００１９】
前記記録管理情報２２１、３１１は、例えば記録媒体がＤＶＤ−ＲＡＭである場合、リアルタイム記録方式により生成される管理情報とすることが可能である。また、前記記録管理情報のファイルシステムは、使用する記録媒体によって変わり、例えば前記記録媒体がメモリカードの場合にはパソコンで一般に使用されているＦＡＴ（Ｆｉｌｅ  Ａｌｌｏｃａｔｉｏｎ  Ｔａｂｌｅ）ファイルシステム等のファイルシステムが用いられる。なお、図２、図３において、前記バックアップ情報及び元データ情報は前記記録管理情報の一部としているが、一部とせず、前記記録管理情報と別の情報として記録媒体に記録することも可能である。
【００２０】
次に、以上示した方法により記録媒体に記録された画像／音声データを読み出し、再生する方法について説明する。光ピックアップなどの再生ヘッドによりＤＶＤ−ＲＡＭ１３２またはメモリカード１４２から読み出された画像／音声データは、多重化／分離化処理部１０６により分離され、デジタル符号化された画像データとデジタル符号化された音声データに変換される。前記再生ヘッドとは、記録媒体からデータを再生するものであであれば、種類は特に限定されない。再生ヘッドは、例えばＤＶＤ−ＲＡＭなど光ディスクの光ピックアップ、ＨＤＤなど磁気記録媒体の磁気ヘッド、メモリカードなど半導体記録媒体の信号処理回路などである。
【００２１】
画像データに関しては、画像符号復号部１０４は、デジタル符号化された画像データを復号する。信号処理部１０３は、画像符号復号部１０４において復号された画像データをＮＴＳＣなどへのフォーマット変換しＬＣＤ（Ｌｉｑｕｉｄ  Ｃｒｙｓｔａｌ  Ｄｉｓｐｌａｙ）パネル１０７や外部画像表示装置に出力する。このとき、前記画像／音声データが元データである場合、メインＣＰＵ１２０は、記録媒体制御部１３０及び記録媒体制御部１４０に指示を出しＤＶＤ−ＲＡＭ１３２、メモリカード１４２から前記元データの記録管理情報部中のバックアップ情報を読み出し、記録媒体管理部１２１はバックアップ情報を処理し、処理回路の一種であるＯＳＤ（Ｏｎ  Ｓｃｒｅｅｎ  Ｄｉｓｐｌａｙ）合成部１０８は処理されたバックアップ情報をＯＳＤとしてＬＣＤパネル１１０や外部画像表示装置に信号処理部を経て出力する。前記画像／音声データが元データである場合には、バックアップ情報の代わりに元データ情報を読み出し、同様の処理をする。
【００２２】
また、音声データに関しては、音声符号復号部１１４は、デジタル符号化された音声データを復号する。Ａ／Ｄ及びＤ／Ａ変換器１１３は、音声符号復号部１１４が復号したデジタル音声信号をアナログ音声信号に変換、ＡＭＰ部１１２は、前記アナログ音声信号を増幅し、スピーカー１１１や外部出力装置に出力する。以上示した方法により、前記記録再生装置において、前記記録媒体に記録されている画像／音声データを再生する。
【００２３】
次にバックアップデータの作成方法について説明する。
図１におけるメインＣＰＵ１２０は、利用者からのバックアップデータ作成の指示を受けると、前記した再生方法によりバックアップデータ作成の元データである画像／音声データを記録媒体から読み出し、再生する。また、前記メインＣＰＵ１２０は、画像データについては、前記画像符号復号部１０４を制御し、前記画像符号復号部１０４に入力されている画像データをバックアップデータ用に符号化し、音声データについては、前記音声符号復号部１１４を制御し、前記音声符号復号部１０４に入力されている音声データをバックアップデータ用に符号化する。さらに前記メインＣＰＵ１２０は、前記多重化／分離化処理部１０６を制御し、前記画像符号復号部１０４と前記音声符号復号部１１４で符号化されたバックアップデータ用画像データとバックアップデータ用音声データとを多重化する。
【００２４】
バックアップデータを記録媒体に記録する場合は、前記した記録方法と同様の方法により、所望の記録媒体に記録する。ここで、画像データの場合、バックアップデータは再生している画像データに対して、画像サイズを縮小したり、ビットレートを下げていたり、画像データ形式を変更されていたりし、例えば元データがＭＰＥＧ−２  ６．０  ［Ｍｂｐｓ］であったのが、ＭＰＥＧ−４  １．５［Ｍｂｐｓ］に変換されていたりする。ただし、前記再生中の元データと前記バックアップデータとが同一内容であることもあり、この場合、前記画像符号復号部１０４や前記音声符号復号部１１４をバックアップデータ作成のために制御しなくても良い。さらに、メインＣＰＵ１２０は、前記記録媒体管理部を制御し、前記元データが記録されている記録媒体にある前記記録管理情報に含まれるバックアップ情報を更新する。以上示した方法により、バックアップデータが作成され、バックアップ情報が元データを記録する記録媒体内の記録管理情報に記録される。なお、前記した通り、前記バックアップ情報は必ずしも前記記録管理情報内に含まれる必要は無く、別情報として記録媒体に記録されても良い。
【００２５】
ランダムアクセスが可能な記録媒体を用いた記録再生装置においては、記録されている画像／音声データを外部表示装置に一覧表示し、再生する画像／音声データの識別性を向上させることができる。本発明における前記バックアップ情報及び元データ情報を用いた画像／音声データの一覧表示における画像／音声データの識別性をさらに向上させる方法について説明する。利用者から記録されている画像／音声データの一覧表示の指示があると、ＤＶＤドライブ制御部１３０、メモリカード制御部１４０は上記の方法によりＤＶＤ−ＲＡＭ１３２、メモリカード１４２から前記画像／音声データを読み出し、復号し、前記画像データの縮小画像を作成し、前記ＯＳＤ合成部１０８で前記画像とグラフィックスを合成することで、記録されている画像を一覧表示させる。図４は、前記一覧表示の一実施例である。４０は前記外部表示装置の表示枠、４１は記録されている画像データの縮小画像、４２は動画や静止画等の前記画像／音声データの種別を示す種別アイコン、４３は利用者が選択している画像／音声データを示す表示選択枠、４４及び４５は前記縮小画像の元の画像データが記録されている記録媒体を示す記録媒体アイコンである。前記記録媒体管理部１２１は上記の方法により記録媒体に記録されている前記記録管理情報を読み出し、縮小表示する画像の元となる画像／音声データの種別を取得し、メインＣＰＵ１２０に送信する。メインＣＰＵ１２０は、送信された情報に応じて表示する種別アイコンを決定し、動画や静止画といったデータの種別を示す種別アイコンを前記ＯＳＤ合成部１０８で縮小画像と合成し、前記外部表示装置に表示する。さらに前記記録媒体管理部１２１は、前記記録管理情報及びバックアップ情報を読み出し、縮小表示する画像の元となる元データ、及び、バックアップデータが存在する場合には前記バックアップデータが記録されている記録媒体を識別し、識別結果をメインＣＰＵ１２０に送信する。メインＣＰＵ１２０は送信された前記識別結果に応じて表示する記録媒体アイコンを決定し、前記元データ及び前記バックアップデータが記録されている記録媒体の前記記録媒体アイコンを前記ＯＳＤ合成部１０８で前記縮小画像と合成し、外部表示装置にて表示するよう各部の制御を行う。図４では、前記表示選択枠４３がある画像データにバックアップ情報があることを示している。以上示した方法により、記録媒体に記録されている画像／音声データを一覧表示することで、利用者は表示されている画像／音声データの種類、画像／音声データが記録されている記録媒体、バックアップデータの有無、バックアップデータが存在する場合にはそのデータが記録されている記録媒体等を容易に判断できるようになる。なお、バックアップデータが前記記録再生装置に具備された記録媒体に記録されず、前記記録再生装置外の記録装置に送信された場合は、その旨を示すアイコンを表示し、バックアップデータが記録媒体に記録されていない場合も、元データがバックアップデータを持つか否かを識別することは可能である。
【００２６】
また、前記記録再生装置では、記録媒体に記録されている画像／音声データの詳細情報、すなわち、元データ情報を表示することも可能である。図５は、前記元データ情報を表示する際の一実施例である。５１は、記録媒体に記録されている画像データの縮小画像で、図４における４１に相当する。５２は、前記記録管理情報として記録されている、前記縮小画像５１の元データとなる画像データに関する情報であり、例えば、元データが記録された日時、画像種別、画像形式などである。メインＣＰＵ１２０は、利用者から詳細情報を表示する旨の指示を受けると、前記記録媒体管理部１２１を制御し、前記記録媒体に記録されている前記記録管理情報を読み出す。前記記録媒体管理部１２１は、読み出した前記記録管理情報を解析し、画像／音声データの詳細情報をメインＣＰＵ１２０に送信する。前記詳細情報を受けたメインＣＰＵ１２０は、前記詳細情報をグラフィックス信号に変換し、前記した方法により生成されている縮小画像５１と前記グラフィックス信号を前記ＯＳＤ合成部１０８で合成し、前記外部表示装置に表示する。以上示した方法により、利用者が所望する画像／音声データの詳細情報を表示できる。
【００２７】
次に、バックアップ情報が記録されている場合における詳細情報の表示方法について説明する。以上示した方法により、元データとなる画像／音声データの詳細情報を表示する際、前記記録媒体管理部１２１は前記記録管理情報に前記バックアップ情報が記録されているか解析し、前記バックアップ情報が記録されている場合、前記バックアップ情報をメインＣＰＵ１２０へ送信する。メインＣＰＵ１２０は、送信されたバックアップ情報をグラフィックス信号に変換し、前記詳細情報と共に表示する。図５における５３は、前記バックアップ情報であり、例えばバックアップデータが作成された日時、バックアップデータの画像形式、バックアップデータが記録媒体に記録されている場合はその記録先などである。
【００２８】
以上示した方法により、記録媒体に記録されている画像／音声データの詳細情報が表示でき、さらに、前記画像／音声データのバックアップデータが存在する場合には前記詳細情報とバックアップ情報とをあわせて表示することができる。
【００２９】
以上説明したように、本発明によれば、画像／音声記録再生装置に、記録媒体管理部を設け、元データのバックアップデータに関する情報を示したバックアップ情報を作成し、前記バックアップ情報を記録媒体に記録することにより、記録されている元データのバックアップデータが存在するか否かを判断することが可能となる。また、バックアップデータを持つ元データに関する情報を表示する際、バックアップデータが記録されている記録媒体にアクセスすることなくバックアップ情報を表示することが可能で、さらに、元データに関する情報とバックアップ情報とを同時に表示することが可能であるため、元データの識別性を向上させることができる。これらのことにより、記録再生装置における使い勝手を向上させることができる。
【００３０】
【発明の効果】
以上述べたように、本発明による記録再生装置によれば、多数の元データやバックアップデータを記録している記録媒体を管理することができ、記録媒体のデータ管理が容易になる。
【００３１】
また、元データに関する情報と、バックアップデータに関する情報とをあわせて表示することができ、利用者にとって元データの識別性が向上する。
【図面の簡単な説明】
【図１】本実施例による記録再生装置における記録再生部の一例を示すブロック図である。
【図２】本実施例による記録管理情報の１つめの構造を示す模式図である。
【図３】本実施例による記録管理情報の２つめの構造を示す模式図である。
【図４】本実施例によって得られる記録管理情報を用いて記録媒体内のデータを一覧表示する際に表示装置に表示する画面の一例を示す図である。
【図５】本実施例によって得られる記録管理情報を用いて記録媒体内のデータを詳細表示する際に表示装置に表示する画面の一実施例である。
【符号の説明】
１０６…多重化分離化処理部、１０８…ＯＳＤ合成部、１２０…メインＣＰＵ、１２１…記録媒体管理部、１３０…ＤＶＤドライブ制御部、１３２…ＤＶＤ−ＲＡＭ、１４０…メモリカード制御部、１４２…メモリカード。
【図１】
2004318991.tif 000003
【図２】
2004318991.tif 000004
【図３】
2004318991.tif 000005
【図４】
2004318991.tif 000006
【図５】
2004318991.tif 000007